(57)【要約】【課題】  安定的にフレキシブル回路板を挟んで搬送する可能なフレキシブル回路板の搬送装置を提供する。【解決手段】  フレキシブル回路板２０の搬送方向の一側に設けられるモータ１０と、該モータの動力出力軸に設けられる歯車３１と、該歯車の外側に設けられると共に、フレキシブル回路板の搬送方向の両側に位置されるチェーン３２とからなり、該チェーンは複数のチェーンブロック３２０からなるフレキシブル回路板の搬送装置であって、前記フレキシブル回路板の搬送方向の両側におけるチェーンブロックの内側に夫々コ字形の押圧プレート３２１が設けられ、該押圧プレートの上側に貫通孔３２２が形成され、対応し合う二つの押圧プレートが連結プレート１３３によって一体に連結されると共に、それらの貫通孔にコ字形の押圧部材３２３が設けられ、該押圧部材の両端が夫々貫通孔に挿入されると共に、押圧プレートとの間にスプリング３２４が設けられることを特徴とする。【選択図】  図１
0003131285.tif 000002
【実用新案登録請求の範囲】
【請求項１】
フレキシブル回路板の搬送方向の一側に設けられるモータと、該モータの動力出力軸に設けられる歯車と、該歯車の外側に設けられると共に、フレキシブル回路板の搬送方向の両側に位置されるチェーンとからなり、該チェーンは複数のチェーンブロックからなるフレキシブル回路板の搬送装置であって、
前記フレキシブル回路板の搬送方向の両側におけるチェーンブロックの内側に夫々コ字形の押圧プレートが設けられ、該押圧プレートの上側に貫通孔が形成され、対応し合う二つの押圧プレートが連結プレートによって一体に連結されると共に、それらの貫通孔にコ字形の押圧部材が設けられ、該押圧部材の両端が夫々貫通孔に挿入されると共に、押圧プレートとの間にスプリングが設けられることを特徴とする、フレキシブル回路板の搬送装置。
【請求項２】
前記コ字形の押圧部材と連結プレートの相対面に夫々密接シールが設けられる、請求項１のフレキシブル回路板の搬送装置。
【考案の詳細な説明】
【技術分野】
【０００１】
本考案は、特に安定的にフレキシブル回路板を挟んで搬送する可能なフレキシブル回路板の搬送装置に関するものである。
【背景技術】
【０００２】
フレキシブル回路板の製造においては、回路板に所定の回路を形成するために、露光、現像、エッチング、メッキなどの工程を行う必要があり、また、これらの工程を行うためには、フレキシブル回路板を搬送装置により搬送する必要がある。
【０００３】
故に、搬送装置は、フレキシブル回路板の製造に対して非常に重要なものであり、この搬送装置によりフレキシブル回路板を安定的に搬送できなければ、フレキシブル回路板に悪影響を与える問題があった。
【０００４】
従来のフレキシブル回路板の搬送装置は、例えば台湾実用新案第Ｍ２９１１７８号「フレキシブル回路板用搬送ローラー装置」であって、上下対応する複数の回転軸と、各回転軸に設けられる複数の搬送ローラーからなり、該搬送ローラーの挟みによってフレキシブル回路板を所定の方向に搬送することができる。
【０００５】
しかし、このような搬送ローラーは、エッチング液の噴射を邪魔し、更にフレキシブル回路板の回路と直接に接触するので、回路を摩損する恐れがあった。
【０００６】
また、図４乃至図６に示すように、従来の他のフレキシブル回路板の搬送装置は、回路板における回路と直接に接触する搬送ローラーを有しなく、フレキシブル回路板（５０）の搬送方向の一側に設けられる駆動装置（３０）と、該駆動装置（３０）の動力出力部に設けられる歯車（３１）と、該歯車（３１）の外側に設けられると共に、フレキシブル回路板（５０）の搬送方向の両側に位置されるチェーン（３２）からなり、該チェーン（３２）は、複数のチェーンブロック（３２０）からなり、各チェーンブロック（３２０）の外側に貫通孔（３２２）を有する押圧プレート（３２１）が設けられ、該貫通孔（３２２）にＬ字形の押圧部材（３２３）が設けられ、該押圧部材（３２３）と押圧プレート（３２１）との間にスプリング（３２４）が設けられる。
【０００７】
図６に示すように、前記チェーンブロック（３２０）が歯車（３１）に向かって移動すると共に、駆動装置（３０）の動力出力部（一般にモータの動力出力軸）と接触すると、該動力出力部の押圧によって押圧部材（３２３）がスプリング（３２４）を圧縮することにより、押圧部材（３２３）が押圧プレート（３２１）から離れると共に、押圧部材（３２３）と押圧プレート（３２１）との間にフレキシブル回路板（５０）を挿入する可能な空間を形成させる。
【０００８】
一方、前記チェーンブロック（３２０）が駆動装置（３０）の動力出力部から離れると、押圧部材（３２３）はスプリング（３２４）の回復力によって押圧プレート（３２１）へ移動することにより、フレキシブル回路板（５０）を両側の挟持状態で搬送させる。
【考案の開示】
【考案が解決しようとする課題】
【０００９】
しかしながら、前記従来のフレキシブル回路板の搬送装置に用いる挟持方式は、点挟持であるので、安定性が優れなく、更に、フレキシブル回路板（５０）の上方にエッチング液を有すると、該エッチング液の重量によってフレキシブル回路板の変形や、フレキシブル回路板が押圧部材（３２３）と押圧プレート（３２１）の間から脱落する恐れがある。また、押圧部材（３２３）と押圧プレート（３２１）の挟持力が強すぎると、フレキシブル回路板（５０）を断裂してしまう恐れがあった。
【００１０】
そこで、案出されたのが本考案であって、安定的にフレキシブル回路板を挟んで搬送することが可能なフレキシブル回路板の搬送装置を提供することを目的としている。
【課題を解決するための手段】
【００１１】
本願の請求項１の考案は、フレキシブル回路板の搬送方向の一側に設けられるモータと、該モータの動力出力軸に設けられる歯車と、該歯車の外側に設けられると共に、フレキシブル回路板の搬送方向の両側に位置されるチェーンとからなり、該チェーンは複数のチェーンブロックからなるフレキシブル回路板の搬送装置であって、
前記フレキシブル回路板の搬送方向の両側におけるチェーンブロックの内側に夫々コ字形の押圧プレートが設けられ、該押圧プレートの上側に貫通孔が形成され、対応し合う二つの押圧プレートが連結プレートによって一体に連結されると共に、それらの貫通孔にコ字形の押圧部材が設けられ、該押圧部材の両端が夫々貫通孔に挿入されると共に、押圧プレートとの間にスプリングが設けられることを特徴とするフレキシブル回路板の搬送装置、を提供する。
【００１２】
本願の請求項２の考案は、前記コ字形の押圧部材と連結プレートの相対面に夫々密接シールが設けられることを特徴とする請求項１に記載のフレキシブル回路板の搬送装置、を提供する。
【考案の効果】
【００１３】
本考案は上記の課題を解決するものであり、コ字形の押圧部材と連結プレートでフレキシブル回路板の長辺を挟持するような線挟持により、従来の点挟持より優れた安定効果を有するので、フレキシブル回路板を安定的に搬送することができ、更に、該コ字形の押圧部材と連結プレートは、フレキシブル回路板における回路と接触しないので、回路の摩損問題を防ぐことができる。
【考案を実施するための最良の形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１は本考案に係るフレキシブル回路板の搬送装置の部分斜視図であり、図２は本考案に係るフレキシブル回路板の搬送装置の端視図であり、図３は本考案に係るフレキシブル回路板の搬送装置の部分側面図である。
【００１６】
図１乃至図３に示すように、本考案に係るフレキシブル回路板の搬送装置は、製造成形機械のベース（符号なし）に設けられるものであり、フレキシブル回路板（２０）の搬送方向の一側に設けられるモータ（１０）と、該モータ（１０）の動力出力軸（１１）に設けられる歯車（１２）と、該歯車（１２）の外側に設けられると共に、フレキシブル回路板（２０）の搬送方向の両側に位置されるチェーン（１３）からなり、該チェーン（１３）は複数のチェーンブロック（１３０）からなるフレキシブル回路板の搬送装置であって、
前記フレキシブル回路板（２０）の搬送方向の両側におけるチェーンブロック（１３０）の内側に夫々コ字形の押圧プレート（１３１）が設けられ、該押圧プレート（１３１）の上側に貫通孔（１３２）が形成され、対応し合う二つの押圧プレート（１３１）が連結プレート（１３３）によって一体に連結されると共に、それらの貫通孔（１３２）にコ字形の押圧部材（１３４）が設けられ、該押圧部材（１３４）の両端が夫々貫通孔（１３２）に挿入されると共に、押圧プレート（１３１）との間にスプリング（１３５）が設けられ、また、このスプリングの構造や作動方式は、従来と等しいため、詳細な説明を省略する。
【００１７】
前記コ字形の押圧部材（１３４）と連結プレート（１３３）の相対面に夫々密接シール（１３６）が設けられ、該密接シール（１３６）は、ゴムや軟質のプラスチック材からなることにより、フレキシブル回路板の挟持効果を向上することができる。
【００１８】
本考案の作動原理は、図４乃至図６に示した従来のものと等しく、前記チェーンブロック（１３０）が歯車（１２）に向かって移動すると共に、モータ（１０）の動力出力軸（１１）と接触すると、該動力出力軸（１１）の押圧によって押圧部材（１３４）がスプリング（１３５）を圧縮することにより、押圧部材（１３４）が押圧プレート（１３１）から離れると共に、押圧部材（１３４）と押圧プレート（１３１）との間にフレキシブル回路板（２０）を挿入することが可能な空間を形成させる。
【００１９】
また、前記チェーンブロック（１３０）がモータ（１０）の動力出力軸（１１）から離れると、押圧部材（１３４）はスプリング（１３５）の回復力によって押圧プレート（１３１）へ移動することにより、フレキシブル回路板（２０）を挟持状態で搬送させる。
【００２０】
本考案に係るフレキシブル回路板の搬送装置は、コ字形の押圧部材（１３４）と連結プレート（１３３）でフレキシブル回路板（２０）の長辺を挟持するような線挟持により、従来の点挟持より優れた安定効果を有するので、フレキシブル回路板（２０）を安定的に搬送することができる。
【００２１】
また、本考案のコ字形の押圧部材（１３４）と連結プレート（１３３）は、フレキシブル回路板（２０）における回路と接触しないので、回路の摩損問題を防ぐことができる。
【産業上の利用可能性】
【００２２】
本考案は上記の構成を有し、コ字形の押圧部材と連結プレートでフレキシブル回路板の長辺を挟持するような線挟持により、従来の点挟持より優れた安定効果を有するので、フレキシブル回路板を安定的に搬送することができ、更に、該コ字形の押圧部材と連結プレートは、フレキシブル回路板における回路と接触しないので、回路の摩損問題を防ぐことができる。
【図面の簡単な説明】
【００２３】
【図１】本考案に係るフレキシブル回路板の搬送装置の部分斜視図である。
【図２】本考案に係るフレキシブル回路板の搬送装置の端視図である。
【図３】本考案に係るフレキシブル回路板の搬送装置の部分側面図である。
【図４】従来のフレキシブル回路板の搬送装置の部分斜視図である。
【図５】従来のフレキシブル回路板の搬送装置の端視図である。
【図６】従来のフレキシブル回路板の搬送装置の部分側面図である。
【符号の説明】
【００２４】
１０        モータ
１１        動力出力軸
１２        歯車
１３        チェーン
１３０      チェーンブロック
１３１      押圧プレート
１３２      貫通孔
１３３      連結プレート
１３４      押圧部材
１３５      スプリング
１３６      密接シール
２０        フレキシブル回路板
３０        駆動装置
３１        歯車
３２        チェーン
３２０      チェーンブロック
３２１      押圧プレート
３２２      貫通孔
３２３      押圧部材
３２４      スプリング
５０        フレキシブル回路板
【図１】
0003131285.tif 000003
【図２】
0003131285.tif 000004
【図３】
0003131285.tif 000005
【図４】
0003131285.tif 000006
【図５】
0003131285.tif 000007
【図６】
0003131285.tif 000008